(57)【要約】【課題】家庭用薄葉紙の詰め替えが容易な家庭用薄葉紙収納容器を実現する。【解決手段】家庭用薄葉紙収納容器１００において、家庭用薄葉紙Ｐの詰め替えを行う場合、螺着している蓋部１２を容器本体１１から取り外すことなく、蓋枠部１３から蓋体本体１４を回動させるように外すことができ、開かれた蓋枠部１３の貫通口１３ａから容器本体１１の内部に家庭用薄葉紙Ｐを装填することができるので、その詰め替え作業を容易に行うことが可能になる。【選択図】図１
2010076822.tif 000002
【特許請求の範囲】
【請求項１】
開口部を有し、内側に家庭用薄葉紙を収納する容器本体と、前記開口部を閉塞するように前記容器本体に着脱自在に取り付けられる蓋体と、を備える家庭用薄葉紙収納容器であって、
前記蓋体は、
前記開口部を囲うように前記容器本体に取り付けられた状態で、その容器本体の内部に連通する貫通口が形成された蓋枠部と、
前記貫通口に着脱可能に取り付けられ、その貫通口に取り付けられた状態で前記家庭用薄葉紙の取り出し方向に貫通する取出孔を有する蓋体本体と、
前記蓋体本体を前記蓋枠部に回動可能に連結する連結部と、
を備え、
前記蓋枠部の前記貫通口は、前記容器本体の前記開口部と略同じ大きさを有することを特徴とする家庭用薄葉紙収納容器。
【請求項２】
前記蓋体本体は、前記貫通口に形成された少なくとも２つの面と密接するように取り付けられることを特徴とする請求項１に記載の家庭用薄葉紙収納容器。
【請求項３】
開口部を有し、内側に家庭用薄葉紙を収納する容器本体と、前記開口部を閉塞するように前記容器本体に取り付けられる蓋体本体と、を備える家庭用薄葉紙収納容器であって、
前記蓋体本体は、
前記開口部に取り付けられた状態で前記家庭用薄葉紙の取り出し方向に貫通する取出孔と、
前記取出孔を開閉する小蓋部と、
当該蓋体本体を前記容器本体に回動可能に連結する連結部と、
を備えることを特徴とする家庭用薄葉紙収納容器。
【請求項４】
前記蓋体本体は、前記開口部に形成された少なくとも２つの面と密接するように取り付けられることを特徴とする請求項３に記載の家庭用薄葉紙収納容器。
【請求項５】
前記蓋体本体には、前記取出孔よりも大きな引出孔が形成されており、
前記引出孔と前記取出孔とはスリットを通じて繋がれていることを特徴とする請求項１〜４の何れか一項に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、長さ方向に一定間隔をおいてミシン目が施されている家庭用薄葉紙を家庭用薄葉紙収納容器から取り出すための開口として、ミシン目を切断分離せずに家庭用薄葉紙を容器から引き出して、その容器から引き出した家庭用薄葉紙のミシン目を切断分離せしめることを可能にする取出孔が形成されている容器が知られている（例えば、特許文献１参照。）。
【特許文献１】特開平７−２０６０５５号公報
【発明の開示】
【発明が解決しようとする課題】
【０００３】
しかしながら、上記特許文献１の場合、家庭用薄葉紙収納容器において、家庭用薄葉紙を詰め替える際、容器本体に螺着された蓋体を一旦取り外し、新たな家庭用薄葉紙を容器本体内に装填した後に、蓋体を容器本体に螺着して取り付けなければならず、その詰め替え作業が煩わしくなることがあるという問題があった。
【０００４】
本発明の目的は、家庭用薄葉紙の詰め替えが容易な家庭用薄葉紙収納容器を提供することである。
【課題を解決するための手段】
【０００５】
以上の課題を解決するため、請求項１に記載の発明は、
開口部を有し、内側に家庭用薄葉紙を収納する容器本体と、前記開口部を閉塞するように前記容器本体に着脱自在に取り付けられる蓋体と、を備える家庭用薄葉紙収納容器であって、
前記蓋体は、
前記開口部を囲うように前記容器本体に取り付けられた状態で、その容器本体の内部に連通する貫通口が形成された蓋枠部と、
前記貫通口に着脱可能に取り付けられ、その貫通口に取り付けられた状態で前記家庭用薄葉紙の取り出し方向に貫通する取出孔を有する蓋体本体と、
前記蓋体本体を前記蓋枠部に回動可能に連結する連結部と、
を備え、
前記蓋枠部の前記貫通口は、前記容器本体の前記開口部と略同じ大きさを有することを特徴とする。
【０００６】
請求項２に記載の発明は、請求項１に記載の家庭用薄葉紙収納容器において、
前記蓋体本体は、前記貫通口に形成された少なくとも２つの面と密接するように取り付けられることを特徴とする。
【０００７】
請求項３に記載の発明は、
開口部を有し、内側に家庭用薄葉紙を収納する容器本体と、前記開口部を閉塞するように前記容器本体に取り付けられる蓋体本体と、を備える家庭用薄葉紙収納容器であって、
前記蓋体本体は、
前記開口部に取り付けられた状態で前記家庭用薄葉紙の取り出し方向に貫通する取出孔と、
前記取出孔を開閉する小蓋部と、
当該蓋体本体を前記容器本体に回動可能に連結する連結部と、
を備えることを特徴とする。
【０００８】
請求項４に記載の発明は、請求項３に記載の家庭用薄葉紙収納容器において、
前記蓋体本体は、前記開口部に形成された少なくとも２つの面と密接するように取り付けられることを特徴とする。
【０００９】
請求項５に記載の発明は、請求項１〜４の何れか一項に記載の家庭用薄葉紙収納容器において、
前記蓋体本体には、前記取出孔よりも大きな引出孔が形成されており、
前記引出孔と前記取出孔とはスリットを通じて繋がれていることを特徴とする。
【発明の効果】
【００１０】
本発明によれば、家庭用薄葉紙収納容器における蓋体本体を、連結部を軸心にして回動させて開くことによって、容器本体の開口部が露出するようになり、その開口部から家庭用薄葉紙を容器本体内に装填することができるので、容易に家庭用薄葉紙の詰め替え作業を行うことができる。
【発明を実施するための最良の形態】
【００１１】
以下、図を参照して、本発明に係る家庭用薄葉紙収納容器の具体的な態様を詳細に説明する。ただし、発明の範囲は、図示例に限定されない。
【００１２】
（実施形態１）
図１は、本発明を適用した好適な実施形態として例示する家庭用薄葉紙収納容器１００を正面上方から見た斜視図であり、図２は、図１におけるII−II断面を含む蓋体１２の断面図である。図３及び図４は、蓋体１２の蓋体本体１４が蓋枠部１３から外された状態を示す断面図である。
【００１３】
本実施形態に係る家庭用薄葉紙収納容器１００は、図１〜図４に示すように、例えば、内側にロール状の家庭用薄葉紙Ｐ（例えば、ロール状に巻かれたウェットシートやウェットティッシュ等のロールペーパー）を収納する容器本体１１と、この容器本体１１に設けられた開口部１１ａを閉塞するように容器本体１１に着脱自在に取り付けられる蓋体１２と、蓋体１２における蓋体本体１４に設けられた取出部１４１を開閉するように蓋体本体１４に回動可能に取り付けられた小蓋部であるトグルキャップ１６等を備えて構成されている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、トグルキャップ１６の回動軸が設けられている側を後側とし、その反対側を手前側とする。さらに、正面視にて左右方向（幅方向）をＹ軸方向とし、上下方向をＺ軸方向とする。
【００１４】
容器本体１１は、図示しない下底部を有するとともに上端部に開口部１１ａが設けられた有底円筒形状をなし、その上端部の外周面には周方向に沿って雄ネジ部１１ｂが設けられている。なお、図１、図３、図４では、容器本体１１の下部の図示を省略して記載している。
本実施形態における容器本体１１は、例えば、ＰＥ（ポリエチレン）やＰＰ（ポリプロピレン）、或いはＡＢＳ樹脂等から形成されている。
【００１５】
蓋体１２は、容器本体１１に取り付けられる蓋枠部１３と、蓋枠部１３に取り付けられる蓋体本体１４と、蓋体本体１４を蓋枠部１３に回動可能に連結する連結部１５等を備えている。
なお、本実施形態における蓋体１２は、例えば、ＰＥ（ポリエチレン）やＰＰ（ポリプロピレン）、ＰＥＴ（ポリエチレンテレフタレート）等、可撓性を有する樹脂材料から形成されている。
【００１６】
蓋枠部１３は、略円筒形状を呈しており、開口部１１ａを囲うように容器本体１１に取り付けられた状態で、容器本体１１の内部に連通する貫通口１３ａが上端側に形成されている。この貫通口１３ａの上面には、少なくとも２つの面を有する段差（図２、図３に示す貫通口１３ａの場合、３つの面からなる段差）が形成されている。
また、蓋枠部１３の下端側の内周面には容器本体１１の雄ネジ部１１ｂと螺合する雌ネジ部１３ｂが設けられている。
そして、容器本体１１と蓋枠部１３とは、雄ネジ部１１ｂと雌ネジ部１３ｂを介して着脱自在に螺着される。
なお、蓋枠部１３は、容器本体１１の開口部１１ａに外接するように螺着するので、蓋枠部１３の内径は開口部１１ａと略同じ大きさでありつつ、ひと回り大きな径を有している。つまり、蓋枠部１３の貫通口１３ａは、開口部１１ａと略同じ大きさを有している。
【００１７】
蓋体本体１４は、天面部１４０を有するとともに下端側が開放された略円筒形状をなしており、その下端部１４ａが、蓋枠部１３の貫通口１３ａの上面と密接するようになっている。
特に、蓋体本体１４の下端部１４ａには、蓋枠部１３の貫通口１３ａの形状に対応する３つの面からなる段差が形成されているので、蓋体本体１４の下端部１４ａと、蓋枠部１３の貫通口１３ａとは、その段差同士が嵌合して密接するようになっている。
なお、蓋体本体１４の下端部１４ａと、蓋枠部１３の貫通口１３ａとが接する部分は、家庭用薄葉紙収納容器１００の円筒側面に位置するようになっている。
また、蓋体本体１４の下端部１４ａの前端側に、突起部１４ｂが設けられている。
【００１８】
天面部１４０の中央側には、取出部１４１が設けられている。
取出部１４１の略中央には、蓋体本体１４が貫通口１３ａに取り付けられた状態で、家庭用薄葉紙Ｐの取り出し方向に貫通する取出孔１４１ａが形成されており、その取出孔１４１ａの周囲には前後左右方向の４箇所に切欠が形成されている。
また、取出孔１４１ａの近傍であり、トグルキャップ１６の回動軸寄りの後方側には、取出孔１４１ａよりも大きな開口を有する引出孔１４１ｂが形成されており、その引出孔１４１ｂと取出孔１４１ａとは、スリット１４１ｃを通じて繋がれている。
この取出孔１４１ａと引出孔１４１ｂとスリット１４１ｃの周囲を囲うように、平面視円環形状を呈してＺ軸方向上側（上方向）に突出する環状突起１４２が設けられている。
【００１９】
連結部１５は、蓋体１２の後端側において、蓋枠部１３および蓋体本体１４と一体成型されており、蓋体本体１４を貫通口１３ａから取り外した際に、蓋体本体１４が蓋枠部１３から分離してしまわないように一体的に連結するためのものである。
この連結部１５は、一端が蓋枠部１３の上部に、他端が蓋体本体１４の下部に連結されるように折り曲げられた形状を有し、可撓性を有する樹脂材料から形成されているので、その折り目を軸心として回動可能になっている。
【００２０】
トグルキャップ１６は、例えば、蓋体本体１４の天面部１４０にＹ軸方向に沿って配された図示しない回動軸によって軸支され、その天面部１４０に対して回動可能に配設されており、閉蓋状態と開蓋状態とに切り替えられるようになっている。
このトグルキャップ１６は、閉蓋状態と開蓋状態のそれぞれの配置において、それぞれ安定した状態に配されるようになっており、例えば、可動範囲内における所定の中間位置に対応する回動角度（例えば、図２参照）よりも取出部１４１に接近された際には閉蓋状態となるように付勢され、また、上記所定の回動角度よりも取出部１４１から離間された際には開蓋状態（図５参照）となるように付勢されている。
【００２１】
トグルキャップ１６の下面には、取出部１４１を閉塞状態とした際に、環状突起１４２と係合する係合部１７が設けられている。
この係合部１７は、取出部１４１を閉塞する際に、環状突起１４２の外周が、係合部１７の内周に密着して内挿されるように、トグルキャップ１６の下面から円筒状ないし環状に突設されている。
なお、トグルキャップ１６は、天面部１４０に回動軸を介して軸支されていることに限らず、例えば、蓋体本体１４と一体に成形されたものであってもよく、その蓋体本体１４の天面部１４０に対して、その厚さをＹ軸方向に沿って一部薄くなる折り目を形成することにより、Ｙ軸方向に沿った折り目を軸線として折曲されるキャップとすることで、その折り目を軸心として回動可能にし、取出部１４１を開閉する構成としてもよい。
【００２２】
次に、家庭用薄葉紙収納容器１００における家庭用薄葉紙Ｐの詰め替え動作について説明する。
【００２３】
家庭用薄葉紙収納容器１００の家庭用薄葉紙Ｐを詰め替える場合、まず、図３に示すように、蓋体本体１４の突起部１４ｂを押し上げるようにして、蓋枠部１３から蓋体本体１４を外す。
そして、図４に示すように、蓋体本体１４を後方に回動させるように、蓋体本体１４を蓋枠部１３の上方から移動させて、蓋枠部１３の貫通口１３ａを全開にすると、その貫通口１３ａから容器本体１１の開口部１１ａが視認可能に露出するので、その露出した開口部１１ａから容器本体１１の内部に家庭用薄葉紙Ｐを装填する。なお、本実施形態では、家庭用薄葉紙Ｐが、上下方向（Ｚ軸方向）を中心としてロール状に巻かれた状態で容器本体１１に収納されるようになっている。
【００２４】
次いで、取出部１４１の引出孔１４１ｂから家庭用薄葉紙Ｐの一端をつまみ出す。この引出孔１４１ｂは、比較的大きな開口であるので家庭用薄葉紙Ｐを引き出しやすい。
さらに、引出孔１４１ｂから引き出した家庭用薄葉紙Ｐを、スリット１４１ｃを通じて取出孔１４１ａに引き込む。
そして、家庭用薄葉紙Ｐが取出孔１４１ａに挿通された蓋体本体１４を蓋枠部１３に取り付け、蓋体本体１４の下端部１４ａを蓋枠部１３の貫通口１３ａに嵌め合わせることにより、その下端部１４ａと貫通口１３ａの段差部が密接し、家庭用薄葉紙収納容器１００の内部の気密性が保たれるように閉じられる。
【００２５】
これにより、容器本体１１の内部に収納された家庭用薄葉紙Ｐが、図５に示すように、蓋体１２おける蓋体本体１４の取出部１４１の取出孔１４１ａから上方に突出した状態となり、家庭用薄葉紙収納容器１００からの家庭用薄葉紙Ｐの取り出しが可能となる。
そして、トグルキャップ１６を閉じて、取出部１４１を閉蓋状態とすれば、トグルキャップ１６の係合部１７が、環状突起１４２と係合するので、取出孔１４１を有する取出部１４１部分が密封されることとなり、ウェットタイプの家庭用薄葉紙Ｐの乾燥を防ぐことが可能になる。
【００２６】
このように、家庭用薄葉紙収納容器１００は、蓋体１２を容器本体１１に螺着した状態のまま、蓋枠部１３から蓋体本体１４を取り外すことにより、容器本体１１の開口部１１ａを外部に露出させることができるので、容器本体１１に家庭用薄葉紙Ｐを装填する詰め替え作業を容易に行うことができる。
特に、蓋枠部１３に対する蓋体本体１４の着脱は、連結部１５を軸心とした回動によるワンタッチで行うことができ、蓋枠部１３から外した蓋体本体１４を紛失してしまうこともないので、詰め替え作業の煩わしさは殆どない。
【００２７】
次に、家庭用薄葉紙収納容器１００から家庭用薄葉紙Ｐを引き出して取り出す動作について説明する。
【００２８】
家庭用薄葉紙収納容器１００から家庭用薄葉紙Ｐを引き出す場合、まず、蓋体１２におけるトグルキャップ１６を開いて、家庭用薄葉紙収納容器１００の取出部１４１を開蓋状態とする。
そして、開蓋状態にされた家庭用薄葉紙収納容器１００では、図５に示すように、蓋体１２における取出部１４１の取出孔１４１ａから、家庭用薄葉紙Ｐの端部が上方に僅かに突出した状態で保持されている。
【００２９】
そして、取出孔１４１ａから突出している家庭用薄葉紙Ｐの一端を摘み、上方に引き上げる。
このとき、取出孔１４１ａには、家庭用薄葉紙Ｐが下方から上方、つまり、内側から外側に向けて擦れながら引き出されることによる摩擦力が作用し、取出孔１４１ａの周囲が上方に撓むこととによって、取出孔１４１ａの周囲の切欠が広がるようになって、取出孔１４１ａが通常時よりも大きく開口されるようになる。従って、家庭用薄葉紙Ｐの引き出し抵抗が緩和され、家庭用薄葉紙Ｐを取り出しやすくなる。
【００３０】
また、これと同時に、取出孔１４１ａの周囲の取出部１４１が、下方向に向けて戻ろうとする力（復元力）が生じるため、家庭用薄葉紙Ｐを上方から下方側に向けて押さえ付ける力が作用することとなる。これにより、取り出し中の家庭用薄葉紙Ｐと次の家庭用薄葉紙Ｐとの継ぎ目であるミシン目Ｐ１の部分まで引き出された際に、ミシン目Ｐ１に沿って家庭用薄葉紙Ｐが切り離される。
そして、切り離されて取り出された家庭用薄葉紙Ｐを使用することが可能になり、次の家庭用薄葉紙Ｐの上端部が取出孔１４１ａに保持されることとなる。
【００３１】
以上のように、家庭用薄葉紙収納容器１００において、家庭用薄葉紙Ｐの詰め替えを行う場合、螺着している蓋部１２を容器本体１１から取り外すことなく、蓋枠部１３から蓋体本体１４を回動させるように外すことができ、開かれた蓋枠部１３の貫通口１３ａから容器本体１１の内部に家庭用薄葉紙Ｐを装填することができるので、容易に詰め替え作業を行うことができる。
【００３２】
なお、本発明は上記実施形態に限られるものではない。
例えば、図６に示すように、蓋体１２における蓋枠部１３の貫通口１３ｃの上面に５つの面からなる段差部が形成され、その貫通口１３ｃの上面と密接する蓋体本体１４の下端部１４ｃにも５つの面からなる段差部が形成されていてもよい。
このように、５つの面からなる段差部によって嵌合する蓋枠部１３と蓋体本体１４であれば、家庭用薄葉紙収納容器１００の内部の気密性をより高い状態で密封するように閉じることが可能になる。
【００３３】
（実施形態２）
次に、本発明に係る家庭用薄葉紙収納容器の実施形態２について説明する。なお、実施形態１と同一部分には同一符号を付し、異なる部分についてのみ説明する。
【００３４】
家庭用薄葉紙収納容器１０１は、図７に示すように、開口部１１ａを有し、内側に家庭用薄葉紙Ｐを収納する容器本体１１と、開口部１１ａを閉塞するように容器本体１１に取り付けられる蓋体本体１４と、を備えている。
【００３５】
容器本体１１の開口部１１ａの上面には、３つの面からなる段差部が形成されている。
【００３６】
蓋体本体１４の下端部１４ａには、容器本体１１の開口部１１ａの形状に対応する３つの面からなる段差部が形成されており、蓋体本体１４の下端部１４ａと、容器本体１１の開口部１１ａとは、その段差同士が嵌合して密接するようになっている。
【００３７】
蓋体本体１４の下部の後端側には、連結部１５が設けられている。
連結部１５は、蓋体本体１４と一体成型されており、その連結部１５の自由端側が容器本体１１の開口部１１ａの外周面に熱融着や接着剤を介して着設されている。
なお、容器本体１１と連結部１５と蓋体本体１４とが、可撓性を有する樹脂材料にて一体成型されていてもよい。また、容器本体１１と蓋体本体１４とは別部材の連結部１５が接着などにより設けられていてもよい。
そして、この連結部１５によって、蓋体本体１４が容器本体１１に回動可能に連結されている。
【００３８】
また、蓋体本体１４の天面部１４０には取出部１４１が設けられており、取出部１４１には、蓋体本体１４が開口部１１ａに取り付けられた状態で家庭用薄葉紙Ｐの取り出し方向に貫通する取出孔１４１ａと引出孔１４１ｂとスリット１４１ｃが形成されている。
その天面部１４０には、取出部１４０（取出孔１４１ａ）を開閉するための小蓋部であるトグルキャップ１６が備えられている。
【００３９】
このような家庭用薄葉紙収納容器１０１であれば、家庭用薄葉紙Ｐの詰め替えを行う場合、容器本体１１から蓋体本体１４を回動させるように外すことで、開口部１１ａを露出させることができ、開かれた開口部１１ａから容器本体１１の内部に家庭用薄葉紙Ｐを装填することができるので、容易に詰め替え作業を行うことができる。
また、蓋体本体１４の下端部１４ａを容器本体１１の開口部１１ａに嵌め合わせることにより、その下端部１４ａと開口部１１ａの段差部が密接し、家庭用薄葉紙収納容器１０１の内部の気密性を保つことができる。
【００４０】
なお、以上の実施の形態においては、蓋体１２における、蓋枠部１３と蓋体本体１４と連結部１５とは一体成型により同一の樹脂材料で形成されているとしたが、本発明はこれに限定されるものではなく、例えば、２色成形などによって、それらを異なる樹脂材料で形成してもよい。
【００４１】
また、その他、具体的な細部構造等についても適宜に変更可能であることは勿論である。
【図面の簡単な説明】
【００４２】
【図１】本発明に係る家庭用薄葉紙収納容器を正面上方から見た斜視図である。
【図２】図１におけるII−II断面を含む蓋体の断面図である。
【図３】家庭用薄葉紙収納容器の蓋体の蓋体本体を蓋枠部から外した状態を示す断面図である。
【図４】家庭用薄葉紙収納容器の蓋体の蓋体本体を蓋枠部から外した状態を示す断面図である。
【図５】家庭用薄葉紙収納容器における取出部に家庭用薄葉紙を挿通させた状態を示す断面図である。
【図６】家庭用薄葉紙収納容器の蓋体の変形例を示す断面図である。
【図７】本発明の実施形態２における家庭用薄葉紙収納容器を示す断面図である。
【符号の説明】
【００４３】
１１    容器本体
１１ａ  開口部
１１ｂ  雄ネジ部
１２    蓋体
１３    蓋枠部
１３ａ、１３ｃ  貫通口
１３ｂ  雌ネジ部
１４    蓋体本体
１４ａ、１４ｃ  下端部
１４１  取出部
１４１ａ  取出孔
１４１ｂ  引出孔
１４１ｃ  スリット
１４２  環状突起
１５    連結部
１６    トグルキャップ（小蓋部）
１７    係合部
１００、１０１  家庭用薄葉紙収納容器
Ｐ      家庭用薄葉紙
Ｐ１    ミシン目
【図１】
2010076822.tif 000003
【図２】
2010076822.tif 000004
【図３】
2010076822.tif 000005
【図４】
2010076822.tif 000006
【図５】
2010076822.tif 000007
【図６】
2010076822.tif 000008
【図７】
2010076822.tif 000009